(57)【要約】  【課題】絞り繊維生地を使って愛玩動物用被覆を作成し、絞り生地独特の凹凸感による通気性や着心地に優れ、愛玩動物に優しい身心の健康を促進する被覆を提供する。  【解決手段】素地１００に絞り加工を施した繊維生地を使用して、愛玩動物用ハーネス１０４を作成する。直接愛玩動物の身体に触れる足回り装着部９および胴回り部１０に絞り繊維生地を使うため通気性や着心地が良い。また、支部１１に絞り繊維生地を使用すると、絞り繊維生地の特性により、連結部１２で愛玩動物用リードと組み合わせて使用した場合にハーネス１０４の保持力が増し、愛玩動物の身体をしっかりと支えることができる。  【選択図】図４
0003197630.tif 000002
【実用新案登録請求の範囲】
【請求項１】
首輪やハーネス等に備えられた連結部に連結されるフック部と、一端に前記フック部と、他端に持ち手部を有するリード本体部と、を備えた愛玩動物用リードであって、前記持ち手部または前記リード本体部の少なくともいずれか一方に絞り繊維生地が用いられている、愛玩動物用リード。
【請求項２】
愛玩動物の首回りに装着される首回り装着部と、愛玩動物用リードに備えられたフック部に連結される連結部と、を備えた愛玩動物用首輪であって、前記首回り装着部の少なくとも一部に絞り繊維生地が用いられている、愛玩動物用首輪。
【請求項３】
愛玩動物の足回りに装着される複数の足回り装着部と、前記複数の足回り装着部をつなぐつなぎ部と、愛玩動物用リードに備えられたフック部と連結される連結部と、を備えた愛玩動物用ハーネスであって、前記足回り装着部または前記つなぎ部の少なくともいずれか一方に絞り繊維生地が用いられている、愛玩動物用ハーネス。
【請求項４】
愛玩動物の胴回りに装着される胴回り部と、足回りに装着される複数の足回り装着部と、前記複数の足回り装着部および前記胴回り部を支える複数の支部と、愛玩動物用リードに供えられたフック部と連結される連結部と、を備えた愛玩動物用ハーネスであって、前記足回り装着部、前記胴回り部または前記支部の少なくともいずれかに絞り繊維生地が用いられている、愛玩動物用ハーネス。
【請求項５】
愛玩動物の足回りに装着される複数の足回り装着部が足回り本体部と足回り外周部で構成され、前記足回り装着部をつなぐつなぎ部と、愛玩動物用リードに供えられたフック部と連結される連結部と、を備えた愛玩動物用ハーネスであって、前記足回り本体部、前記足回り外周部、または前記つなぎ部の少なくともいずれかに絞り繊維生地が用いられている愛玩動物用ハーネス。
【請求項６】
愛玩動物の足回りに装着される複数の足回り装着部と、前記複数の足回り装着部をつなぎ、つなぎ本体部とつなぎ外周部から構成されるつなぎ部と、愛玩動物用リードに供えられたフック部と連結される連結部と、を備えた愛玩動物用ハーネスであって、前記複数の足回り装着部、前記つなぎ本体部または前記つなぎ外周部の少なくともいずれかに絞り繊維生地が用いられている愛玩動物用ハーネス。
【請求項７】
愛玩動物に装着したときに首回りに位置する首回り部と、愛玩動物に装着したときに足回りに位置する複数の足回り部と、本体部と、外周部と、を備え、  かつ請求項１に記載の愛玩動物用リード、請求項２に記載の愛玩動物用首輪または請求項３から６に記載の愛玩動物用ハーネスとともに用いることが可能な愛玩動物用衣服であって、前記首回り部、前記足回り部、前記本体部または前記外周部の少なくともいずれかに絞り繊維生地が用いられている、愛玩動物用衣服。
【考案の詳細な説明】
【技術分野】
【０００１】
本考案は、絞り繊維生地を使った愛玩動物用被覆に関する。
【背景技術】
【０００２】
従来、愛玩動物用被覆は、様々な手法、生地、形態で製造および販売されて
きた。手作りまたは機械などによる一括生産による衣服、小物、散歩用道具な
どは、多種多様な生地やデザインで販売されている。これらはファッション性
に富み、且つバリエーションも豊富にある。また、これらの加工性および利便
性を高めた製品、例えば装飾性の高い首輪や愛玩動物用アクセサリー、愛玩動
物への装着性を容易にする目的を持った衣服、さらには衛生面を考慮した愛玩
動物用首輪なども提案されている。
【先行技術文献】
【特許文献】
【０００３】
【特許文献１】特開２００３−１７４８３３号公報
【特許文献２】特開２００５−０５８０１４
【特許文献３】特開２０１２−１７０４５７
【非特許文献１】実用新案登録第３０８９９４４号公報
【０００４】
しかし、このような愛玩動物用被覆には、未だその素地自体を考慮して作成されているものが乏しい。また、愛玩動物用首輪や衣服など、現存するものの中には、愛玩動物の皮膚には好ましくない素地が利用されている場合もある。そのため、特に夏場などは愛玩動物の着心地や被覆の通気性に問題があると思われるものもある。また愛玩度物の身心の健康を阻害している可能性がある。
【考案の概要】
【考案が解決しようとする課題】
【０００５】
そこで本考案の課題は、愛玩動物被覆を絞り生地を使って作成することによ
り絞り生地の使用先の選択肢を広げるとともに、絞り生地独特の凹凸感による
通気性や着心地に優れた、愛玩動物に優しい被覆を提供し、かつ愛玩動物用被
覆のファッション性を高めて選択肢を拡大することにある。
【課題を解決するための手段】
【０００６】
本考案の愛玩動物用リードは、首輪やハーネス等に備えられた連結部に連結
されるフック部と、一端に前記フック部と、他端に持ち手部を有するリード本
体部と、を備えた愛玩動物用リードであって、前記持ち手部または前記リード
本体部の少なくともいずれか一方に絞り繊維生地が用いられている。
【０００７】
また、本考案の愛玩動物用首輪は、愛玩動物の首回りに装着される首回り装着部と、愛玩動物用リードに備えられたフック部に連結される連結部と、を備えた愛玩動物用首輪であって、前記首回り装着部に絞り繊維生地が用いられている。
【０００８】
また、本考案の愛玩動物用ハーネスは、愛玩動物の足回りに装着される複数の足回り装着部と、前記複数の足回り装着部をつなぐつなぎ部と、愛玩動物用リードに備えられたフック部と連結される連結部と、を備えた愛玩動物用ハーネスであって、前記足回り装着部または前記連結部の少なくともいずれか一方に絞り繊維生地が用いられている。
【０００９】
また、本考案の愛玩動物用ハーネスは、愛玩動物の胴回りに装着される胴回り部と、足回りに装着される複数の足回り装着部と、前記複数の足回り装着部および前記胴回り部を支える複数の支部と、愛玩動物用リードに供えられたフック部と連結される連結部と、を備えた愛玩動物用ハーネスであって、前記足回り装着部、前記胴回り部または前記支部の少なくともいずれかに絞り繊維生地が用いられている。
【００１０】
また、本考案の愛玩動物用ハーネスは、愛玩動物の足回りに装着される複数の足回り装着部が足回り本体部と足回り外周部で構成され、前記足回り装着部をつなぐつなぎ部と、愛玩動物用リードに供えられたフック部と連結される連結部と、を備えた愛玩動物用ハーネスであって、前記足回り本体部、前記足回り外周部、または前記つなぎ部の少なくともいずれかに絞り繊維生地が用いられている。
【００１１】
また、本考案の愛玩動物用ハーネスは、愛玩動物の足回りに装着される複数の足回り装着部と、前記複数の足回り部をつなぎ、つなぎ本体部とつなぎ外周部から構成されるつなぎ部と、愛玩動物用リードに供えられたフック部と連結される連結部と、を備えた愛玩動物用ハーネスであって、前記複数の足回り装着部、前記つなぎ本体部または前記つなぎ外周部の少なくともいずれかに絞り繊維生地が用いられている。
【００１２】
また、本考案の愛玩動物用衣服は、愛玩動物に装着したときに首回りに位置する首回り部と、愛玩動物に装着したときに足回りに位置する複数の足回り部と、本体部と、外周部とを備え、かつ請求項１に記載の愛玩動物用リード、請求項２に記載の愛玩動物用首輪または請求項３から６に記載の愛玩動物用ハーネスとともに用いることが可能な愛玩動物用衣服であって、前記首回り部、前記足回り部、前記本体部または前記外周部の少なくともいずれかに絞り繊維生地が用いられている。      
【考案の効果】
【００１３】
本考案の愛玩動物用リード、首輪、ハーネス、および衣服によれば、絞り繊維生地の物性を有効利用し、商品価値の向上およびバリエーションの拡充化、ならびに実用性の向上を図ることができる。従って、これまでの一般的生地を使用した愛玩動物用被覆とは異なり、絞り繊維生地の通気性や独特の着心地などの物性を有効活用したバリエーション豊富で斬新な愛玩動物用被覆を提供することができ、かつ絞り生地という日本の伝統工芸の使用範囲を新しい分野へと広げて、その活用販路を拡充することができる。また、リードは愛玩動物の散歩などの際に人間が長時間手にするものでもあるため、人間が手に握るなど身に着ける場合にも通気性および吸汗性がよく、使用感の向上を求めることができる。さらに、愛玩動物の身心の健康も促進できる。
【図面の簡単な説明】
【００１４】
【図１】本考案に係る愛玩動物用リードの模式図。
【図２】本考案に係る愛玩動物用首輪の模式図。
【図３】本考案に係る愛玩動物用ハーネスの一例を示す図。
【図４】本考案に係る愛玩動物用ハーネスの別の一例を示す図。
【図５】本考案に係る愛玩動物用衣服の一例を示す図。
【図６】本考案に係る愛玩動物用衣服の別の一例を示す図。
【考案を実施するための形態】
【００１５】
以下、図面を参照しながら本考案の実施形態について説明する。なお、実施
形態および図面による説明は、本考案を説明するためのものであり本考案を限定するものではない。
【実施例】
【００１６】
図１は、愛玩動物用リードの模式図である。素地１００は絞り繊維生地でできており、この絞り生地繊維の材質としては、綿、絹、ウールなどの天然繊維や、化学繊維である再生繊維、半合成繊維、合成繊維、その他絞り加工を施すことができるあらゆる繊維を挙げることができる。
【００１７】
素地１００に使われる絞り繊維生地の絞り加工は、まめ絞り、三浦絞り、巻
き上げ絞り、ぼうし絞り、鹿の子絞り、くも絞りなど、あらゆる絞り処理技法を用いて行う。また、単一加工方法のみでも、複数の加工方法を組み合わせたものでもよい。
【００１８】
素地１００に使われる絞り加工は、リード１０１全体または一部に施されている。一部に施されている場合は、絞り加工がなされていない繊維生地や革など繊維生地以外の材料と組み合わせてリード１０１を作成することもできる。
【００１９】
持ち手部３は、リード使用時に人間が握る部分である。本模式図において、この持ち手部３は調節不可能な固定式となっているが、輪の大きさを調節可能に作成してもよい。調節可能に作成する場合は、持ち手部３の付け根部分ａに調節用クリップなど、長さを調節するための機構を取り付ける。当該機構の材質は金属、プラスチック、木製など、どのような材質でもよい。
【００２０】
図２は、愛玩動物用首輪の模式図である。素地１００は絞り繊維生地でできており、この絞り生地繊維の材質としては、綿、絹、ウールなどの天然繊維や、化学繊維である再生繊維、半合成繊維、合成繊維、その他絞り加工を施すことができるあらゆる繊維を挙げることができる。また、素地１００に肌アレルギーを引き起こす可能性の低いオーガニックコットン、絹、綿紗などの繊維生地を使用して、アレルギー体質の愛玩動物用の首輪を供することもできる。
【００２１】
素地１００に使われる絞り繊維生地の絞り加工は、まめ絞り、三浦絞り、巻き上げ絞り、ぼうし絞り、鹿の子絞り、くも絞りなど、あらゆる絞り処理技法を用いて行う。また、単一加工方法のみでも、複数の加工方法を組み合わせたものでもよい。
【００２２】
素地１００に使われる絞り加工は、首輪１０２の全体または一部に施されている。一部に施されている場合は、絞り加工がなされていない繊維生地や革など繊維生地以外の材料と組み合わせて首輪１０２を作成することもできる。
【００２３】
連結部５には、リード１０１のフック部１と連結するための機構がついていてもよい。その場合、愛玩動物の散歩に際して連結部５およびフック部１を連結させて、首輪１０２とリード１０１を組み合わせて使用することができる。また、連結させる場合に素地１００に同物を使った首輪１０２とリード１０１を使用することで、ファッション性が高い愛玩動物用被覆を実現することもできる。また連結部５に長さを調節できる機構を施してもよい。
【００２４】
首輪１０２の形態は一例にすぎず、連結部にこのような機構を用いない別の形態で連結する手法でもよい。長さを調節できる機構も金属や樹脂でできた調整部品を使うこともできるし、繊維生地のみで調整機構を施すように工夫してもよい。また、長さを調節する機構は、独立した機構で、一か所だけなくて複数個所に設けてもよい。
【００２５】
図３は、愛玩動物用ハーネスの構造図であり、当該愛玩動物用ハーネスをつける愛玩動物の頭部が図面に向かって左側にある場合の図である。素地１００は絞り繊維生地でできており、この絞り生地繊維の材質としては、綿、絹、ウールなどの天然繊維や、化学繊維である再生繊維、半合成繊維、合成繊維、その他絞り加工を施すことができるあらゆる繊維を挙げることができる。また、素地１００に肌アレルギーを引き起こす可能性の低いオーガニックコットン、絹、綿紗などの繊維材質を使用して、アレルギー体質の愛玩動物用のハーネスを供することもできる。
【００２６】
素地１００に使われる絞り繊維生地の絞り加工は、まめ絞り、三浦絞り、巻き上げ絞り、ぼうし絞り、鹿の子絞り、くも絞りなど、あらゆる絞り処理技法を用いて行う。また、単一加工方法のみでも、複数の加工方法を組み合わせたものでもよい。
【００２７】
素地１００に使われる絞り繊維生地は、縮み加工が施された愛玩動物の身体にフィットする絞り繊維生地や、通気性を考慮した立体絞り加工が施された繊維生地で作成することもできる。また、いずれの場合も、ハーネス１０３の全体または一部に絞り繊維生地を使用し、一部に使用する場合は絞り加工がなされていない繊維生地や革など繊維生地以外の材料と組み合わせて作成することもできる。
【００２８】
ハーネス１０３の連結部８をリード１０１のフック部１と連結して、愛玩動物の散歩に組み合わせて使用することもできる。また、連結しない場合は、単体で使用することができる。また、図３では左右に各１つずつ連結部を設けているが、これらを１つの連結部として作成してもよいし、更に多くの連結部を設ける形態でもよい。
【００２９】
足回り装着部６はつなぎ部７で連結されており、愛玩動物の体の少なくとも一部を包み込むようにできている。足回り装着部６およびつなぎ部７の寸法は自由であり、愛玩動物の種類や体格、ハーネス１０３の使用目的により作成寸法を変更してもよい。また、ハーネス１０３の完成品自体が寸法を調節できるような調節機構を備えていてもよい。さらに、つなぎ部７も図３では複数設けられているが、更に多くのつなぎ部を設ける形態にしてもよい。
【００３０】
本模式図のハーネス１０３の形態は一実施例であり、ハーネスの機構や形状は、着用する愛玩動物の種類や大きさ、ファッション性、機能性などによって異なる。例えば、足回り装着部６とつなぎ部７が一緒になった一体型でもよいし、図４の上着１０４のような衣服型でもよい。
【００３１】
図４は、愛玩動物用ハーネスの別の一例を示す構造図であり、本ハーネスを着用する愛玩動物の頭部が図面に向かって右側にある場合の図である。図４で図示しているハーネスは、足回り装着部９、胴回り部１０および支部１１で構成されており、愛玩動物用衣服に近い形態となっている。このような形態にすることにより、よりファッション性も高まる上に、冬季には防寒性を求めることもできる。
【００３２】
ハーネス１０４の胴回り部１０と足回り装着部９は、縫い目などがない一体化した形態として作成してもよいし、別体として作成して組み合わせる形態としてもよい。また、胴回り部１０と支部１１の間に別途装飾物を挿入してファッション性を見出すこともできる。
【００３３】
図４で図示しているハーネス形態は、胴体部１０を面ファスナーを使用して愛玩動物の体を包みこみ固定する形態となっているが、面ファスナー以外にも、ボタンやその他手段を使用して固定してもよい。
【００３４】
図３および図４で図示しているハーネス形態以外にも、足回り装着部６を足回り本体部と足回り外周部にわけた形態で構成することにより、前記足回り本体部または前記足回り外周部のどちらかに絞り繊維生地を使用するか、または両部に別の柄や色の絞り繊維生地を組み合わせて使用してもよい。また、この本体部と外周部は縫い目などがない一体化として作成してもよいし、別体として構成してもよい。
【００３５】
また、つなぎ部７をつなぎ本体部とつなぎ外周部にわけた形態で構成することにより、前記つなぎ本体部または前記つなぎ外周部のどちらかに絞り生地を使用するか、または両部に別の柄や色の絞り繊維生地を組み合わせて使用してもよい。
【００３６】
素地１００に使われる絞り繊維生地の絞り加工は、まめ絞り、三浦絞り、巻き上げ絞り、ぼうし絞り、鹿の子絞り、くも絞りなど、あらゆる絞り処理技法を用いて行う。また、単一加工方法のみでも、複数の加工方法を組み合わせたものでもよい。
【００３７】
素地１００に使われる絞り繊維生地は、縮み加工が施された愛玩動物の身体にフィットする絞り繊維生地や、通気性を考慮した立体絞り加工が施された繊維生地で作成することもできる。また、いずれの場合も、ハーネス１０３および１０４の全体または一部に絞り繊維生地を使用し、一部に使用する場合は絞り加工がなされていない繊維生地と組み合わせて作成することもできる。
【００３８】
ハーネス１０３および１０４の形態は一例であり、図示した形以外にも、長さや形状が異なるものでもよい。またハーネス１０３とハーネス１０４の形状と組み合わせたような形状および形態でもよい。
【００３９】
図５は、愛玩動物用衣服の一例を示す平面図である。上着１０５の素地１００は絞り繊維生地でできており、この絞り生地繊維の材質としては、綿、絹、ウールなどの天然繊維や、化学繊維である再生繊維、半合成繊維、合成繊維、その他絞り加工を施すことができるあらゆる繊維を挙げることができる。また、素地１００に肌アレルギーを引き起こす可能性の低いオーガニックコットン、絹、綿紗などの繊維材質を使用して、アレルギー体質の愛玩動物用衣服を供することもできる。
【００４０】
素地１００に使われる絞り繊維生地の絞り加工は、まめ絞り、三浦絞り、巻き上げ絞り、ぼうし絞り、鹿の子絞り、くも絞りなど、あらゆる絞り処理技法を用いて行う。また、単一加工方法のみでも、複数の加工方法を組み合わせたものでもよい。
【００４１】
素地１００に使われる絞り繊維生地は、縮み加工が施された愛玩動物の身体にフィットする絞り繊維生地や、通気性を考慮した立体絞り加工が施された繊維生地で作成することもできる。また、いずれの場合も、上着１０５の全体または一部に絞り繊維生地を使用し、一部に使用する場合は絞り加工がなされていない繊維生地と組み合わせて作成することもできる。
【００４２】
上着１０５は首回り部１３、足回り部１４、本体部１５、および外周部１６で構成しているが、これらを一体化して作成することもできるし、首回り部１３、本体部１５、および外周部１６を一体化し、足回り部１４を別体として作成して組み合わせることができるように作成することもできる。また、外周部１６に足回り部１４を追加で作成してもよいし、足回り部に布地を使わず、本体部１５に愛玩動物の足を通すための穴のみを備えた形態にしてもよい。
【００４３】
上着１０５を構成する機構はこれら四部分に限られるわけではなく、頭部を覆うフードや帽子、足回りを更に覆う靴下やレッグウォーマーなどを追加部分として加えて作成することもできる。
【００４４】
上着１０５は、首回り部１３や本体部１５に連結用機構を取り付けて、リード１０１と連結して、散歩などで使用できるように作成してもよい。
【００４５】
図５の上着１０５の形態は一実施例であり、図示した上着以外にも、Ｔシャツ、ブラウス、愛玩動物の首に巻きつけるファッション小物、コート、袖なしジャケットなど、あらゆる愛玩動物用衣服を作成することができる。
【００４６】
図６は、愛玩動物用下履きの一実施例として、愛玩動物用ズボン１０６の図であり、着用する愛玩動物の腹側を上にした平面図である。愛玩動物用ズボン１０６は足回り本体外側部１７および足回り本体内側部１８で構成されているが、これらを組み合わせて一体化した機構としてもよい。
【００４７】
足回り本体内側部１８は愛玩動物の生態の関係から、足回り本体外側部１７と寸法が異なり、愛玩動物の陰部を隠さない構造となっているが、着用対象である愛玩動物の種類によっては足回り本体内側部１８の長さおよび型を変化させて、愛玩動物の腰回りをすっぽり覆う形にしてもよい。
【００４８】
愛玩動物用ズボン１０６の素地１００は絞り繊維生地でできており、この絞り生地繊維の材質としては、綿、絹、ウールなどの天然繊維や、化学繊維である再生繊維、半合成繊維、合成繊維、その他絞り加工を施すことができるあらゆる繊維を挙げることができる。また、素地１００に肌アレルギーを引き起こす可能性の低いオーガニックコットン、絹、綿紗などの繊維材質を使用して、アレルギー体質の愛玩動物用衣服を供することもできる。
【００４９】
素地１００に使われる絞り繊維生地の絞り加工は、まめ絞り、三浦絞り、巻き上げ絞り、ぼうし絞り、鹿の子絞り、くも絞りなど、あらゆる絞り処理技法を用いて行う。また、単一加工方法のみでも、複数の加工方法を組み合わせたものでもよい。
【００５０】
図６で示した愛玩動物用下履きの形態も一実施例であり、図示した形以外にも、長さや形状が異なるものでもよい。またズボンではなく長ズボン、半ズボン、スカート、ズボンとスカートを組み合わせたもの、靴下など、どのような形態、形状でもよい。
【００５１】
上着１０５および愛玩動物用ズボン１０６は、例えば浴衣およびワンピースなど、両方を組み合わせた一体型の衣服としてもよいし、これらの組み合わせまたは別々で使用可能な分離可能型衣服として作成することもできる。その場合も、一部または全体に絞り繊維生地を使用する。
【００５２】
なお、上記実施の形態は本考案の例示であり、これに限定されることはない。本考案の本質的な性質から逸脱しない限りにおいて、種々の変更が可能であり、各実施の形態の構成要素を任意に組み合わせて構成することも可能である。本考案請求の範囲と同等の意図および範囲内において生じるすべての変化は、その中に内包されるものである。
【符号の説明】
【００５３】
１                    フック部
２                    リード本体部
３                    持ち手部
４                    首回り装着部
５                    連結部
６                    足回り装着部
７                    つなぎ部
８                    連結部
９                    足回り装着部
１０                胴回り部
１１                支部
１２                連結部
１３                首回り部
１４                足回り部
１５                本体部
１６                外周部
１７                足回り本体外側部
１８                足回り本体内側部
ａ                    付け根部分
１００             素地
１０１             リード
１０２             首輪
１０３             ハーネス
１０４             ハーネス
１０５             上着
１０６             愛玩動物用ズボン
【図１】
0003197630.tif 000003
【図２】
0003197630.tif 000004
【図３】
0003197630.tif 000005
【図４】
0003197630.tif 000006
【図５】
0003197630.tif 000007
【図６】
0003197630.tif 000008